(57)【要約】      （修正有）【課題】容易に足場板と足場板とを連結させることができる足場板連結具を提供する。【解決手段】足場板連結具Ｒは、２個の連結部材１、２を備えてなる。一方の連結部材１は、Ｈ字型断面を有し、足場板装着部１００とシャフト部１０１とを備えてなる。当該足場板装着部１００には、足場板３が装着される。足場板３は、当該一方の連結部材１に開けられた取付穴にボルト・ナットなどよりなる締結部材４を挿通して、当該一方の連結部材１の足場板装着部１００に締結固定される。当該シャフト部１０１のシャフト１０１０の両端部の延長部であって当該一方の連結部材１の側面には、フック部材５を取付けてなる。当該フック部材５は、ワッシャー６を介してボルト７により、当該一方の連結部材１の側面に取付けられる。他方の連結部材２も同様である。【選択図】図１
0003114486.tif 000002
【実用新案登録請求の範囲】
【請求項１】
足場板と足場板とを連結する足場板連結具において、足場板連結具本体の連結する足場板と足場板との側面に平行した面に、回動することができるフック部材を取付けてなることを特徴とする足場板連結具。
【請求項２】
足場板連結具が、分解し又は組立てることができる２個の連結部材を備え、一方の連結部材は、足場板装着部とシャフト部とを有し、該シャフト部のシャフトの両端部であって当該連結部材の側面に、回動することができるフック部材を取付けてなると共に、他方の連結部材は、足場板装着部と前記一方の連結部材のシャフト部のシャフトに装着できる装着部とを有し、当該連結部材の側面には前記一方の連結部材の回動することができるフック部材を引掛けが可能なフック部材留部を設けてなることを特徴とする、請求項１に記載の足場板連結具。
【請求項３】
足場板連結具が、両端に連結しようとする各々の足場板を挿着できる開口を備え内部に各々の足場板を仕切ることができる仕切り部材を有してなる足場板連結具本体の側面に、回動することができる複数のフック部材を取付けてなることを特徴とする、請求項１に記載の足場板連結具。
【請求項４】
足場板連結具が、分解し又は組立てることができる２個の連結部材を備え、一方の連結部材は、足場板装着部と他方の連結部材との装着部と回動することができるフック部材とを備え、他方の連結部材は、足場板装着部と前記一方の連結部材との装着部と前記一方の連結部材の回動することができるフック部材を引掛けが可能なフック部材留部と蓋部とを備えてなることを特徴とする、請求項１に記載の足場板連結具。
【考案の詳細な説明】
【技術分野】
【０００１】
本考案は、足場板連結具に関するものである。
【背景技術】
【０００２】
建設工事現場などでは、作業床や作業員の通路などの目的で足場が組まれ、当該足場には足場板が使用される。
従来、足場板と足場板とを繋ぎ合わせるのに、一方の足場板の端部と他方の足場板の端部とを重ね合わせて、針金により縛って繋ぎ合わせていた。
こうした足場板の連結方法は、足場板と足場板との間に大きな段差を生じるために、作業者が蹴躓いたり、転倒して大きな怪我につながったりする。又、針金による結束は足場の設置に長時間を要したり、針金は切断しやすく事故につながったりするなどの問題があった。
【考案の開示】
【考案が解決しようとする課題】
【０００３】
本考案は、上記従来技術の有する問題点を解消し得る技術を提供することを目的としたものである。
本考案の他の目的や新規な特徴については本件明細書及び図面の記載からも明らかになるであろう。
【課題を解決するための手段】
【０００４】
本考案の実用新案登録請求の範囲は、次の通りである。
（請求項１）足場板と足場板とを連結する足場板連結具において、足場板連結具本体の連結する足場板と足場板との側面に平行した面に、回動することができるフック部材を取付けてなることを特徴とする足場板連結具。
（請求項２）足場板連結具が、分解し又は組立てることができる２個の連結部材を備え、一方の連結部材は、足場板装着部とシャフト部とを有し、該シャフト部のシャフトの両端部であって当該連結部材の側面に、回動することができるフック部材を取付けてなると共に、他方の連結部材は、足場板装着部と前記一方の連結部材のシャフト部のシャフトに装着できる装着部とを有し、当該連結部材の側面には前記一方の連結部材の回動することができるフック部材を引掛けが可能なフック部材留部を設けてなることを特徴とする、請求項１に記載の足場板連結具。
（請求項３）足場板連結具が、両端に連結しようとする各々の足場板を挿着できる開口を備え内部に各々の足場板を仕切ることができる仕切り部材を有してなる足場板連結具本体の側面に、回動することができる複数のフック部材を取付けてなることを特徴とする、請求項１に記載の足場板連結具。
（請求項４）足場板連結具が、分解し又は組立てることができる２個の連結部材を備え、一方の連結部材は、足場板装着部と他方の連結部材との装着部と回動することができるフック部材とを備え、他方の連結部材は、足場板装着部と前記一方の連結部材との装着部と前記一方の連結部材の回動することができるフック部材を引掛けが可能なフック部材留部と蓋部とを備えてなることを特徴とする、請求項１に記載の足場板連結具。
【考案の効果】
【０００５】
本考案の足場板連結具は、足場板連結具本体にフック部材を取付けてなり、当該フック部材は、連結する足場板と足場板との側面に平行した面に取り付けられているので、当該フック部材を回動させることにより、容易に足場板と足場板とを連結させることができる。
本考案の請求項２における足場板連結具は、分解し又は組立てることができる２個の連結部材よりなり、一方の連結部材と他方の連結部材の双方に足場板装着部が設けられているので、各々の足場板装着部に足場板を装着して、一方の連結部材のシャフト部のシャフトに他方の連結部材を装着して、一方の連結部材には上記のような回動することができるフック部材が取付られ、他方の連結部材には、当該フック部材を引掛けが可能なフック部材留部を設けてあるので、当該フック部材を回動させ当該フック部材留部に引掛けることにより、容易にこれら一方の連結部材と他方の連結部材を、延いては、足場板と足場板とを連結させることができ、当該足場板と足場板とは重ね合わせではなく、面一に連結させることができる。
本考案の請求項３における足場板連結具は、両端に連結しようとする各々の足場板を挿着できる開口を備え内部に各々の足場板を仕切ることができる仕切り部材を有してなるので、当該仕切り部材に当接するように両端の開口からそれぞれ足場板を挿着して、当該足場板連結具本体の側面には回動することができる複数のフック部材を取付けてなるので、当該フック部材を回動させることにより、容易に当該足場板連結具本体に足場板を装着させることができ、当該足場板連結具を用いることにより、当該足場板と足場板とは重ね合わせではなく、面一に連結させることができる。
本考案の請求項４における足場板連結具は、分解し又は組立てることができる２個の連結部材よりなり、一方の連結部材と他方の連結部材の双方に足場板装着部が設けられているので、各々の足場板装着部に足場板を装着して、一方の連結部材の装着部に他方の連結部材の装着部を装着して、一方の連結部材には上記のような回動することができるフック部材が取付られ、他方の連結部材には、当該フック部材を引掛けが可能なフック部材留部を設けてあるので、当該フック部材を回動させ当該フック部材留部に引掛けることにより、容易にこれら一方の連結部材と他方の連結部材を、延いては、足場板と足場板とを連結させることができ、当該足場板と足場板とは重ね合わせではなく、面一に連結させることができ、又、他方の連結部材には、蓋部が設けられ、当該蓋部によりこれら連結部材の連結部を覆うことができるので、安全な建設などの作業が可能となる。
上記のように、足場板と足場板とは重ね合わせではなく、面一に連結させることができるので、足場板と足場板との間に段差を生じることがなく、作業者が蹴躓いたり、転倒して大きな怪我につながったりすることがなくなる。又、針金による結束が必要ないので、足場の設置に長時間を要したりすることがなくなった。
【考案を実施するための最良の形態】
【０００６】
次に、本考案の実施例を図面に基づいて説明する。
【実施例】
【０００７】
実施例１．
図１に示すように、足場板連結具Ｒは、２個の連結部材１、２を備えてなる。一方の連結部材１は、Ｈ字型断面を有し、足場板装着部１００とシャフト部１０１とを備えてなる。当該足場板装着部１００には、図示のように、足場板３が装着される。足場板３は、当該一方の連結部材１に開けられた取付穴にボルト・ナットなどよりなる締結部材４を挿通して、当該一方の連結部材１の足場板装着部１００に締結固定される。当該シャフト部１０１のシャフト１０１０の両端部の延長部であって当該一方の連結部材１の側面には、フック部材５を取付けてなる。当該フック部材５は、ワッシャー６を介してボルト７により、当該一方の連結部材１の側面に取付けられる。
２個の連結部材１，２を構成する他方の連結部材２は、前記の一方の連結部材１と同様に足場板装着部２００を有してなり、当該足場板装着部２００には、図示のように、足場板３が装着される。足場板３は、上記の一方の連結部材１の場合と同様に、当該他方の連結部材２に開けられた取付穴に、ボルト・ナットなどよりなる締結部材４を介して、当該他方の連結部材２の足場板装着部２００に締結固定される。当該他方の連結部材２には、前記一方の連結部材１のシャフト部１０１のシャフト１０１０に装着できるシャフト装着部２０１を有してなる。
図５の（Ａ）には、足場板３の装着前の当該他方の連結部材２の側面図を示す。
図５の（Ａ）に示すように、当該他方の連結部材２の側面には、上記した締結部材４を挿着するための取付穴２０３が開けられており、又、当該他方の連結部材２には、Ｕ字型の前記一方の連結部材１のシャフト部１０１のシャフト１０１０に装着するシャフト装着部２０１を有してなる。
上記取付穴２０３は、例えば、図１に示すように、当該他方の連結部材２の両側面に各々１個づつ、その正面に２個の合計４箇所に開けられている。
図示を省略したが、同様に一方の連結部材１にも取付穴が開けられている。
【０００８】
図１の矢標に示すように、足場板連結具Ｒの他方の連結部材２のＵ字型のシャフト装着部２０１を、一方の連結部材１のシャフト部１０１のシャフト１０１０に装着する。
図２は、当該装着後の足場板連結具Ｒの平面図である。
図２に示すように、一方の連結部材１のフック部材５は、他方の連結部材２に向かって回動することができる。
図５（Ｂ）には、足場板の装着前の当該他方の連結部材２の正面図を示す。図示のように、当該他方の連結部材２の側面には、当該一方の連結部材１の回動することができるフック部材５を引掛けが可能なＬ字型断面を有するフック部材留部２０４を設けてある。前記のように、当該他方の連結部材２の正面側には、２個の足場板の取付穴２０３が設けられている。
【０００９】
図３は、一方の連結部材１のフック部材５の回動後の平面図で、当該一方の連結部材１のフック部材５の先端部は、他方の連結部材２の当該フック部材を引掛けが可能な溝部を有するＬ字型断面のフック部材留部２０４に掛留めされる。
【００１０】
図４は、当該一方の連結部材１のフック部材５の先端部を、他方の連結部材２のフック部材留部２０４に掛留めされる様子を図示したもので、図４（Ａ）に示す状態から図４（Ｂ）に示す状態へと回動により当該フック部材５は、他方の連結部材２のフック部材留部２０４に掛留め移行される。
図４に示すように、当該一方の連結部材１の側面にも、他方の連結部材２のフック部材留部２０４と同様のフック部材置留部１０４が設けられており、図４（Ａ）に示すように、当該一方の連結部材１のフック部材５は、当該フック部材置留部１０４に置き留めされている。当該一方の連結部材１のフック部材置留部１０４は、当該フック部材５を置留可能なように、、他方の連結部材２のフック部材留部２０４と同様のＬ字型断面を有し置留可能な溝部を有してなる。
図４に示すように、一方の連結部材１のフック部材５は、連結する足場板３と足場板３との側面に平行した当該一方の連結部材１の側面に取付けられている
【００１１】
前記図１〜図３に示されるように、足場板連結具Ｒを構成する一方の連結部材１と他方の連結部材２とからなる２個の連結部材は、分解し又は組立てることができ、図４（Ｂ）に示すフック部材５の引掛け状態から、再び、当該フック部材５を回動させて、元の状態に戻し、更には、一方の連結部材１のシャフト部１０１のシャフト１０１０に装着された他方の連結部材２を取り外して、当該一方の連結部材１と他方の連結部材２とを分解することもできる。
【００１２】
実施例２．
図６は、他の実施例を示し、両端に連結しようとする各々の足場板を挿着できる開口８を備えた足場板連結具Ｒの実施例を示す。当該足場板連結具Ｒは、矩形の筒状体に構成され、両端に開口８を備えてなる。当該開口８には筒状体外部から連結しようとする足場板が挿着される。
当該足場板連結具Ｒの内部の略中央には、仕切り部材９が設けられている。当該仕切り部材９は、各々の足場板を仕切ることができる。当該仕切り部材９は、別個に構成されたものでも、又、当該仕切り部材９を構成し得る壁部を有する閉鎖された２個の筒状部材の当該各壁部を接合して仕切りとしてもよい。
図６に示すように、当該足場板連結具本体Ｒの４隅側面には、４個のフック部材５を取付けてある。
当該フック部材５は、図７に示すように、図６の状態から回動させることができる
図６に示すように、当該足場板連結具Ｒの矩形の筒状体に設けられたフック部材５は、ワッシャー６を介してボルト７により当該足場板連結具Ｒの側面に取付けられ、又、当該フック部材５は、置留可能なフック部材置留部１０に置き留めされている。当該フック部材置留部１０は、前記の実施例１の一方の連結部材１のフック部材置留部１０４や他方の連結部材２のフック部材留部２０４と同様のＬ字型断面を有し置留可能な溝部を有してなる。
【００１３】
当該実施例２では、図８に示すように、当該足場板連結具Ｒの両端開口から連結しようとする足場板３が各々挿着され、図８（Ａ）に示すようにフック部材置留部１０に置き留めされたフック部材５を、図８（Ｂ）に示すように足場板３に向かって回動させる。当該足場板３には、当該フック部材置留部１０と同様のＬ字型断面の溝部を有するフック部材留部１１が設けられており、当該フック部材５は、図８（Ｂ）に示すように当該足場板３の当該フック部材留部１１に掛留めされる。
図８に示すように、当該フック部材５は、連結する足場板３と足場板３との側面に平行した当該足場板連結具Ｒの矩形の筒状体の側面に取付けられている
【００１４】
実施例３．
図９〜図１０に示す実施例は、図８に示す実施例を変更したもので、略中央の仕切り部材９の両側に開口部１２を設けた実施例を示す。
当該開口部１２は、仕切り部材９の設置の際の作業性の向上などに寄与することができる。
当該足場板連結具Ｒにおけるその他の構成及び機能は、前記実施例２と同様である。
【００１５】
図１１（Ａ）及び（Ｂ）は、前記実施例２及び実施例３の足場板連結具Ｒの中央縦断面図を示し、当該実施例２の足場板連結具Ｒに対して実施例３の足場板連結具Ｒは、天面に開口部１２が設けられている。
【００１６】
実施例４．
当該実施例４は、特に、前記の図１に示す実施例１におけるフック部材や足場板連結具における２個の連結部材の連結部分に工夫を施した例を示す。
図１２に示すように、足場板連結具Ｒは、２個の連結部材１３、１４を備えてなる。  一方の連結部材１３は、足場板装着部１３０と当該他方の連結部材１４との装着部１３１と回動することができるフック部材５とを備えてなる。
当該足場板装着部１３０には、その図示が省略されているが、前記の実施例１と同様に、足場板３が装着される。足場板３は、当該一方の連結部材１３に開けられた取付穴にボルト・ナットなどよりなる締結部材を挿通して、当該一方の連結部材１３の足場板装着部１３０に締結固定されることは同様である。
当該一方の連結部材１３には、他方の連結部材１４との装着部１３１が設けられ、後述のように、当該他方の連結部材１４における当該一方の連結部材１３との装着部１４１と装着され、これら連結部材を連接することができる。当該一方の連結部材１３は、図示のように、２本のレール部分１３１０と当該レール部分１３１０の間に設けられたバ−部分１３１１とを有してなる。
当該一方の連結部材１３の正面（他方の連結部材１４と連結する側）の略中央にはフック部材５を取付けてなる。当該フック部材５は、ワッシャー６を介してボルト７により、当該一方の連結部材１３に取付けられている。
２個の連結部材１３、１４を構成する他方の連結部材１４は、前記の一方の連結部材１３と同様に足場板装着部１４０を有してなり、当該足場板装着部１４０には、その図示が省略されているが、前記の実施例１と同様に、足場板３が装着される。足場板３は、上記の一方の連結部材１３の場合と同様に、当該他方の連結部材１４に開けられた取付穴に、ボルト・ナットなどよりなる締結部材を介して、当該他方の連結部材１４の足場板装着部１４０に締結固定される。当該他方の連結部材１４には、前記一方の連結部材１３の装着部１３１と装着できる装着部１４１を有してなる。
当該他方の連結部材１４の装着部１４１を、矢標方向に移動させ、当該一方の連結部材１３の装着部１３１と装着させると、これら連結部材１３、１４とを連接させることができる。
【００１７】
図示のように、当該他方の連結部材１４の正面（一方の連結部材１３と連結する側）の略中央には、当該一方の連結部材１３の回動することができるフック部材５を引掛けが可能な４角形のフック部材留部本体部１４２０の中央に引掛け穴１４２１を有するフック部材留部１４２を設けてある。
図１４に示すように、フック部材５をフック部材留部１４２に引掛ける。図１４（Ａ）の状態から図１４（Ｂ）に示すように、当該フック部材５の切欠部５０を有する先端部を当該フック部材留部１４２の引掛け穴１４２１に挿着する。
当該フック部材５は、図１４（Ｃ）に示すように、直立させることなどもできる。
図１３に示すように、当該一方の連結部材１３のフック部材５を、上記のように、当該他方の連結部材１４のフック部材留部１４２に引掛けさせると、これら連結部材１３、１４とを連結させることができる。
当該フック部材５は、一方の連結部材１３と他方の連結部材１４とにそれぞれ足場板が装着されると当該足場板の側面に平行となる。
当該フック部材５は、一方の連結部材１３の略中央に１箇所のみ設けられているので、前記実施例１〜３に比較して簡略化され、部品点数の軽減や足場組み立て作業の迅速化などに寄与することができる。
【００１８】
図示のように、当該他方の連結部材１４には、蓋部１４３が設けられている。
当該蓋部１４３は、図１２及び図１３に示すように、蝶番１４４により、当該他方の連結部材１４の略中央のフック部材留部１４２に隣接して取り付けられている。
図１３に示すように、当該蓋部１４３は、一方の連結部材１３側に回転させることができる。
図１５に示すように、当該蓋部１４３を一方の連結部材１３側に回転させ、当該一方の連結部材１３と他方の連結部材１４との連結部を当該蓋部１４３により覆うと、フック部材５とフック部材留部１４２との連結部分や一方の連結部材１３と他方の連結部材１４との連接部分はそれぞれ当該蓋部１４３により被覆され、これら連結部材１３、１４が面一で連結されるだけでなく、当該連結部材１３、１４間の隙間を当該蓋部１４３で覆って建築作業などをより一層安全に行うことが出来る。
【００１９】
前記図１２〜図１５に示されるように、足場板連結具Ｒを構成する一方の連結部材１３と他方の連結部材１４とからなる２個の連結部材は、分解し又は組立てることができ、図１３に示すフック部材５の引掛け状態から、再び、当該フック部材５を回動させて、元の状態に戻し、更には、一方の連結部材１３に装着された他方の連結部材１４を取り外して、当該一方の連結部材１３と他方の連結部材１４とを分解することもできる。
【００２０】
本考案は上記実施例に限定されず、適宜変更が可能であり、例えば、前記実施例では、２個の連結部材で足場板連結具を構成する例を示したが、３個以上としてもよい。
【産業上の利用可能性】
【００２１】
本考案の足場板連結具は、建築工事の他、土木工事、電気工事、管工事、左官工事などの建設業法に定められた各種工事などに適用される。
【図面の簡単な説明】
【００２２】
【図１】本考案の実施例を示す足場板連結具の実施方法の一例平面図である。
【図２】本考案の実施例を示す足場板連結具の実施方法の一例平面図である。
【図３】本考案の実施例を示す足場板連結具の実施方法の一例平面図である。
【図４】（Ａ）、（Ｂ）それぞれ本考案の実施例を示す足場板連結具の実施方法の一例側面図である。
【図５】（Ａ）本考案の実施例を示す足場板連結具を構成する他方の連結部材の側面図、（Ｂ）本考案の実施例を示す足場板連結具を構成する他方の連結部材の正面図である。
【図６】本考案の他の実施例を示す足場板連結具の斜視図である。
【図７】本考案の他の実施例を示す足場板連結具の斜視図である。
【図８】（Ａ）、（Ｂ）それぞれ本考案の他の実施例を示す足場板連結具の実施方法の一例側面図である。
【図９】本考案の更に他の実施例を示す足場板連結具の斜視図である。
【図１０】本考案の更に他の実施例を示す足場板連結具の斜視図である。
【図１１】（Ａ）、（Ｂ）それぞれ本考案の更に他の実施例を示す足場板連結具の断面図である。
【図１２】本考案の更に又他の実施例を示す足場板連結具の平面図である。
【図１３】本考案の更に又他の実施例を示す足場板連結具の連結後平面図である。
【図１４】（Ａ）、（Ｂ）、（Ｃ）それぞれ本考案の更に又他の実施例を示す足場板連結具の実施方法の一例側面図である。
【図１５】本考案の更に又他の実施例を示す足場板連結具の蓋部回転後の平面図である。
【符号の説明】
【００２３】
１    一方の連結部材
２    他方の連結部材
３    足場板
５    フック部材
８    開口
９    仕切部材
１３    一方の連結部材
１４    他方の連結部材
１００  足場板装着部
１０１  シャフト部
１３０  足場板装着部
１３１  他方の連結部材との装着部
１４０  足場板装着部
１４１  一方の連結部材との装着部
１４２  フック部材留部
１４３  蓋部
２００  足場板装着部
２０１  シャフト装着部
２０４  フック部材留部
【図１】
0003114486.tif 000003
【図２】
0003114486.tif 000004
【図３】
0003114486.tif 000005
【図４】
0003114486.tif 000006
【図５】
0003114486.tif 000007
【図６】
0003114486.tif 000008
【図７】
0003114486.tif 000009
【図８】
0003114486.tif 000010
【図９】
0003114486.tif 000011
【図１０】
0003114486.tif 000012
【図１１】
0003114486.tif 000013
【図１２】
0003114486.tif 000014
【図１３】
0003114486.tif 000015
【図１４】
0003114486.tif 000016
【図１５】
0003114486.tif 000017